(57)【要約】【課題】連動入力の誤判別を防ぎ、確実に連動入力判別を行うことができる警報器を得る。【解決手段】他の機器と連動配線２２０を介して接続され、連動入力判別処理を行って他の機器による連動入力を判別する警報器であって、複数回連続して連動入力の有り又は無しを検出すると、連動入力の有り又は無しとの判別を確定し、より判別を確実にする制御回路１１０を備える。【選択図】図１
2007265182.tif 000002
【特許請求の範囲】
【請求項１】
他の機器と連動配線を介して接続され、連動入力判別処理を行って前記他の機器による連動入力を判別する警報器であって、
複数回連続して前記連動入力の有り又は無しを検出すると、前記連動入力の有り又は無しと判別する制御回路を
備えることを特徴とする警報器。
【請求項２】
前記制御回路は、前記連動配線が導通状態であれば前記連動入力の有りとして検出し、前記連動配線が非導通状態であれば前記連動入力の無しとして検出することを特徴とする請求項１記載の警報器。
【請求項３】
前記制御回路は、前記連動入力判別処理を所定時間毎に行うことを特徴とする請求項１又は２記載の警報器。
【請求項４】
前記制御回路は、前記複数回の連動入力の検出を行う時間の間隔を異ならせることを特徴とする請求項１〜３のいずれかに記載の警報器。
【請求項５】
前記制御回路は、少なくとも直前の判別結果を記憶する記憶手段を有し、前記複数回の検出を行う間に、前記判別結果と同じ検出を行ったと判断すると、前記連動入力判別処理を終了することを特徴とする請求項１〜４のいずれかに記載の警報器。
【請求項６】
前記制御回路は、前記複数回の連動入力の検出を行う時間の間隔を長い時間間隔から短い時間間隔にしていくことを特徴とする請求項１〜３のいずれかに記載の警報器。
【発明の詳細な説明】
【技術分野】
【０００１】
本発明は、例えば火災等を検知して警報を行う警報器に関するものである。連動させている警報器からの信号入力を確実に受信できるようにするためのものである。
【背景技術】
【０００２】
例えば、住宅において、ある部屋等において発生した火災を、他の部屋においても発光、鳴動等による警報を行うことができるように、有線又は無線接続し、連動させることができる連動回路を設けた警報器がある。ここでは有線接続されているものとする。連動回路は、他の警報器からの信号を検出する連動入力回路と他の警報器に信号を送信する連動出力回路で構成される。連動入力回路としては、接続された配線（以下、連動配線という）の導通又は非導通を判断して信号が伝達されているかどうか（連動入力がなされている状態かどうか）を判断し、連動入力判別をするものがある（例えば、特許文献１参照）。
【特許文献１】特開２００３−０５８９６８号公報
【発明の開示】
【発明が解決しようとする課題】
【０００３】
ところで、警報器では、できる限り消費電力を低減してバッテリ寿命を長くするなどの目的から、一般的に消費電力の多いランモードと、消費電力の少ないスリープモードとを有し、所定周期毎にランモードを動作させ、その間に状態の判別等の処理を行うようにしている。そして、連動入力判別はランモード時、つまり、所定周期毎に行うようにしている。
【０００４】
ここで、例えば、連動配線に商用電源ノイズ等の周期性ノイズ源が重畳すると、電圧が高くなったり低くなったりするハイ・ロー状態が周期的に変動することがある。そのため、連動入力判別時において、検出するタイミングによっては判別を正確に行えない可能性もあり、場合によっては、他の機器で火災発生と判断していない（連動入力がなされていない）にも関わらず、警報器を鳴動させてしまうようなことも生じ得る。これは、常時に判別処理を行うようにしていても同様である。
【０００５】
そこで、本発明は、連動入力の誤判別を防ぎ、確実に連動入力判別を行うことができる警報器を得ることを目的とする。
【課題を解決するための手段】
【０００６】
本発明に係る警報器は、他の機器と連動配線を介して接続され、連動入力判別処理を行って他の機器による連動入力を判別する警報器であって、複数回連続して連動入力の有り又は無しを検出すると、連動入力の有り又は無しと判別する制御回路を備えるものである。
【０００７】
また、本発明に係る警報器の制御回路は、連動配線が導通状態であれば連動入力の有りとして検出し、連動配線が非導通状態であれば連動入力の無しとして検出する。
【０００８】
また、本発明に係る警報器の制御回路は、連動入力判別処理を所定時間毎に行う。
【０００９】
また、本発明に係る警報器の制御回路は、複数回の連動入力の検出を行う時間の間隔を異ならせる。
【００１０】
また、本発明に係る警報器の制御回路は、少なくとも直前の判別結果を記憶する記憶手段を有し、複数回の検出を行う間に、判別結果と同じ検出を行ったと判断すると、連動入力判別処理を終了する。
【００１１】
また、本発明に係る警報器の制御回路は、複数回の連動入力の検出を行う時間の間隔を長い時間間隔から短い時間間隔にしていく。
【発明の効果】
【００１２】
本発明によれば、制御回路が、連動入力の有り又は無しを複数回連続して検出することで、その判別結果を確定するようにしたので、連動配線にノイズが重畳しても誤検出を発生させることなく、より確実に連動入力を判別することができ、誤った警報等を防ぐことができる。
【００１３】
また、本発明によれば、連動配線が導通状態であれば連動入力の有りとして検出し、連動配線が非導通状態であれば連動入力の無しとして検出するようにしたので、連動入力の有無の判断を電圧に基づいて容易に検出することができる。
【００１４】
また、本発明によれば、連動入力判別処理を所定時間毎に行うようにし、処理を行うモードと行わないモードを設定し、電力消費を低減させることができる。
【００１５】
また、本発明によれば、制御回路において、複数回の連動入力の検出を行う時間の間隔を異ならせるようにしたので、周期性のあるノイズに同期してしまって誤検出を行ってしまうことを防ぐことができる。
【００１６】
また、本発明によれば、判別結果と同じ検出を行ったと判断すると、連動入力判別処理を終了するようにしたので、判別までの時間を長引かせることなく、処理時間を短くすることができ、また、電力の消費を防ぐことができる。
【００１７】
また、本発明によれば、検出を行う時間の間隔を長い時間間隔から短い時間間隔にしていくようにしたので、例えば、長い周期性を有するノイズにおける、同じ状態の検出を何回も行わなくてすみ、検出回数を少なくし、結果として連動入力判別処理の時間を短くすることができる。
【発明を実施するための最良の形態】
【００１８】
実施の形態１．
図１は本発明の実施の形態１に係る警報器の構成を表すブロック図である。ここで本実施の形態における警報器は火災警報器であるものとする。図１において、火災警報器は、電源となる電池１００、制御回路１１０、定電圧回路１２０、昇圧・発光回路１３０、受光増幅回路１４０、電池電圧検出回路１５０、電源電圧異常監視回路１６０、点検・音声停止回路１７０、音声鳴動回路１８０、火災・異常表示回路１９０、連動回路２００、端子配線２０５及び連動端子２１０で構成されている。
【００１９】
図２は制御回路１１０の構成を示すブロック部である。例えばワンチップマイクロコンピュータ（マイコン）等からなる制御回路１１０は、演算部１１１、ＲＡＭ（メモリ）１１２、ＲＯＭ１１３、タイマ部１１４、Ａ／Ｄ変換部１１５、メイン発振部１１６、サブ発振部１１７及びインターフェース部１１８で構成されている。
【００２０】
演算部１１１は、Ａ／Ｄ変換部１１５を介して入力されたデジタル信号化されたデータ、インターフェース部１１８を介して入力されたデータ（例えば火災検出、電池電圧、電源電圧監視、連動入力に関するデータ等）、ＲＡＭ（メモリ）１１２又はＲＯＭ１１３を介して読み込んだデータに基づいて制御回路１１０における処理を行うものである。本実施の形態では、特に連動入力判別処理（他の機器から連動に関する信号が伝達されているかどうか）に伴う比較、判断等の処理を行う。また、この処理はランモード時に行う。
【００２１】
ＲＡＭ１１２は、例えば変更を伴う等のデータを一時的に記憶する。特に本実施の形態では、連動入力判別処理において、演算部１１１が連動入力の有無の判別を確定したときに、以後に行う連動入力判別処理の判断の際に参照するための連動入力フラグを有している。また、ＲＯＭ１１３は、演算部１１１が読み出して処理するためのデータ（例えば演算部１１１が処理するプログラム等）が記憶されている。
【００２２】
タイマ部１１４は計時を行う。特に本実施の形態では、制御回路１１０が所定時間毎にランモードで動作し、また、複数回の連動入力検出を所定の時間間隔で行うための計時を行う。Ａ／Ｄ変換部１１５は、各種回路等から入力される信号をデジタルデータに変換する。
【００２３】
メイン発振部１１６及びサブ発振部１１７は、制御回路１１０が２種類のモードで動作できるように、２種類の周波数のクロックを発振するために設けられている。制御回路１１０は、ランモードにおいてはメイン発振部１１６の発振に基づくメインクロック周波数で動作し、スリープモードにおいてはサブ発振部１１７の発振に基づくサブクロック周波数で動作する。インターフェース部１１８は、外部の回路、装置等とデータを含む信号等の送受信を行うために設けられている。なお、アナログ信号の場合には、Ａ／Ｄ変換部１１５を経由させるとよい。
【００２４】
定電圧回路１２０は、電池１００が印加する電圧から一定電圧（ここでは例えば２．３Ｖとする）にして、主として制御回路１１０に電力供給を行う。昇圧・発光回路１３０は、制御回路１１０からの信号に基づいて、火災検出のために赤外発光ダイオード（図示せず）を発光させる。受光増幅回路１４０は、フォトダイオード（図示せず）が受光した赤外発光ダイオードによる光（散乱光）を増幅する。電池電圧検出回路１５０は電池１００が印加する電圧を検出する。
【００２５】
電源電圧異常監視回路１６０は、定電圧回路１２０及び昇圧・発光回路１３０の電源電圧を監視して、適正な電圧による電力が供給されるようにする。点検・音声停止回路１７０は、使用者によりスイッチ（図示せず）が押下されると、制御回路１１０に点検又は音声停止処理を行わせるための信号を送信する。音声鳴動回路１８０は、制御回路１１０からの信号に基づいて、スピーカ（図示せず）から音声（ブザー音等も含む）を鳴動させる増幅回路である。火災・異常表示回路１９０は、制御回路１１０から送信される信号に基づいて、発光ダイオード（図示せず）を発光させて、使用者に火災等を教示する。ここで、本実施の形態においては、制御回路１１０はスリープモード時であっても、音声鳴動回路１８０及び火災・異常表示回路１９０に信号を送信し、鳴動及び異常表示を停止させないようにする。
【００２６】
図３は連動回路２００を中心とする回路構成を表す図である。本実施の形態の警報器は、連動端子２１０を介し、警報器外の他の機器と接続することができる。以下、本実施の形態の警報器は、同じ連動回路２００を有して連動入力判別処理を行うことができる他の機器（の連動端子）と連動配線２２０を介して接続されているものとして説明する。本実施の形態では、連動回路２００と制御回路１１０とで連動入力判別手段を構成し、連動入力判別処理を行うものとする。連動回路２００は、端子配線２０５を介して連動端子２１０と接続されており、連動配線２２０を介して、外部の機器からの連動信号を受信して制御回路１１０に送信し、制御回路１１０からの連動信号を他の機器に送信するためのインターフェースとなる。
【００２７】
本実施の形態の連動回路２００は、スイッチング素子であるバイポーラトランジスタ、ＦＥＴ等のトランジスタＱ２０及びＱ２１、抵抗Ｒ８２及びＲ８３並びにダイオードＤ６で構成される。また、制御回路１１０と連動回路２００とは３つの端子Ａ、Ｂ、Ｃで接続されている。ここで端子Ａ及び端子Ｂは、印加電圧の状態により制御回路１１０側からの信号を連動回路２００に伝達するための出力端子となる。一方、端子Ｃは、印加電圧の変化により連動回路２００から制御回路１１０側に信号が伝達される入力端子となる。
【００２８】
次に連動回路２００の動作について説明する。まず、制御回路１１０から他の機器に信号を伝達する場合について述べる。制御回路１１０は、通常時は端子Ｂにおける印加電圧はロー（基準より低い電圧）の状態とする。例えば、赤外発光ダイオードからの受光光量が変化することで、制御回路１１０が火災と判断し、信号を伝達する場合、端子Ｂにおける印加電圧をハイ（基準より高い電圧）の状態にする。このとき、トランジスタＱ２１のベースに電圧が印加されてコレクタ−エミッタ間が導通し（電位差０となる）、連動端子２１０の２つの端子間（連動配線２２０間）も導通する。これが信号を伝達したときの機器（連動回路２００）の状態となる。
【００２９】
次に他の機器から信号が伝達されているかどうかを検出する（以下、連動入力を検出するという）場合について述べる。例えばスリープモード等、連動入力を検出しない場合においては、端子Ａにおける印加電圧はロー（基準より低い電圧）の状態となっているが、例えばランモード時において制御回路１１０が連動入力を検出しようとする場合には、端子Ａにおける印加電圧をハイ（基準より高い電圧）の状態にする。
【００３０】
このとき、トランジスタＱ２０のベースに電圧が印加され、コレクタ−エミッタ間が導通する。ここで、外部の（他の）機器から信号が伝達されてされておらず、連動入力がなされていない場合は、外部の機器側におけるトランジスタＱ２１が非導通であるため、電流が流れず、連動配線２２０は非導通の状態となり、端子Ｃにおける印加電圧はハイ（ここでは電池電圧である２．３Ｖとなる）の状態となる。一方、外部の機器から信号が伝達され、連動入力がなされている場合は、外部の機器側におけるトランジスタＱ２１が導通しているため、トランジスタＱ２０、抵抗Ｒ８２及びＲ８３並びにダイオードＤ６から端子配線２０５、連動端子２１０及び連動配線２２０を介して外部の機器側に電流が流れる（連動配線２２０は導通の状態となる）。このとき、抵抗Ｒ８２と抵抗Ｒ８３との分圧に係る電圧が端子Ｃにおける印加電圧となる。この分圧に係る電圧（例えばここでは１．６Ｖとする）をローの状態と判断できるような閾値（例えば２．０Ｖ）を設定しておくことで、外部の機器からの連動入力の有無を検出することができる。
【００３１】
図４は制御回路１１０の連動入力判別処理に関するタイミングチャートを示す図である。ここで、制御回路１１０は、電力消費を低減させるため、所定時間としての所定周期毎（例えば、５秒毎）のタイマ割込により、メイン発振部１１６によるクロック動作によりランモードで動作する。本実施の形態では、ランモードでの動作の間に連動入力判別処理を行う。一方、サブ発振部１１７によるクロック動作によるスリープモードの場合には、連動入力判別処理を含め、制御回路１１０は最低限の動作しか行わないものとする。ここで、本実施の形態において、制御回路１１０が行う連動入力判別処理については、例えばＲＯＭ１１３にあらかじめプログラムとして記憶されており、演算部１１１がＲＯＭ１１３内のプログラムを実行し、その処理を実現することで、制御回路１１０による連動入力判別処理が行われるものとする。
【００３２】
本実施の形態では、ランモードにおいて、制御回路１１０（連動入力判別手段）は、複数回（例えば、５回）連続して連動入力の有無を検出することを１サイクルとして、連動入力判別処理を行なう。そして、例えば、前回の判別結果（連動入力フラグの状態）とは異なる検出を、複数回連続して検出したとき（例えば前回の判別結果が連動入力無しの場合に複数回連続して有りと判断したとき又は前回の判別結果が連動入力有りの場合に複数回連続して無しと判断したとき）に、連動入力の有無の判別を確定するようにしている。
【００３３】
連動入力の有無の各検出タイミングは、等間隔に行うことも考えられるが、本実施の形態では、例えば、１回目と２回目との検出時間間隔（以下、検出間隔という）を時間Ｔ１、２回目と３回目との検出間隔を時間Ｔ２、３回目と４回目との検出間隔を時間Ｔ３、４回目と５回目との検出間隔を時間Ｔ４としてサンプリング周期（検出する周期、トランジスタＱ２０のベース側に電圧を印加するタイミング）を異ならせている。これは、周期性を有するノイズの周期とサンプリング周期とが同期しないようにするためである。ここで、Ｔ１＞Ｔ２＞Ｔ３＞Ｔ４となるように検出間隔を設定する。これは本実施の形態では、後述するように、前回の判別結果と同じ検出がなされたものと判断した時点で連動入力判別処理を終えるが、長い周期のノイズが重畳すると、例えば、ノイズの波形のハイ側波形からロー側波形への出力の反転に伴って連動入力の有無の判断が逆転するのに時間がかかり、時間間隔が短いほど、その間の検出回数が増え、結果的に連動入力判別処理に時間を費やすことになるからである（例えば、時間間隔が長いものから短いものに変化させると２回で連動入力の有無の判断が逆転するが、時間間隔が短いものから長いものに変化させると３回行わなければならない等）。さらに、Ｔ１はＴ２、Ｔ３、Ｔ４の逓倍（例えば２倍）にならないように、Ｔ２はＴ３、Ｔ４の逓倍にならないように、Ｔ３はＴ４の逓倍にならないようなサンプリング周期にする（例えば、３、５、７、１１、１３（Ｈｚ）の逆数である０．３３、０．２、０．１４、０．９、０．７（ｍｓ）を検出間隔Ｔ１、Ｔ２、Ｔ３、Ｔ４とする等）。これにより、各サンプリング周期の逆数である周波数の逓倍の周波数のノイズによる誤検出を防ぐことができる。なお、複数回の検出における検出間隔をそれぞれ異ならせると最も効果が高いが、特にこれに限定するものではなく、同じ検出間隔が含まれていてもよい。
【００３４】
図５は制御回路１１０による連動入力判別処理を示すフローチャートを表す図である。制御回路１１０はランモードの動作の間、他の処理等を行うが、ここでは、連動入力判別処理だけを行うものとして説明する。まず、前述したように所定周期毎にランモードで動作を行うため、５秒が経過したかどうかを判断する（Ｓ１）。５秒経過したものと判断すると、メイン発振部１１６によるクロック動作に切り替わり、ランモードで動作する（Ｓ２）。連動入力がなされているかどうかを判断する（Ｓ３）。連動入力がなされているかどうかは、前述したように、連動回路２００の端子Ｃにおける印加電圧が閾値である２．０Ｖ未満であるかどうかにより判断する。
【００３５】
連動入力がなされていないと判断すると、直前（前回）の判別結果が、連動入力有りとの判別を確定したものであるか（連動入力フラグがオンされているか）どうかを判断する（Ｓ４Ａ）。連動入力有りと判別を確定していなければ、そのランモードにおける連動入力判別処理を終了し、サブ発振部１１７によるクロック動作に切り替わり、スリープモードに移行する（Ｓ１４）。
【００３６】
連動入力有りと判別を確定していれば、連動入力検出が１回目の検出であるかどうかを判断する（Ｓ５Ａ）。１回目の検出であればＴ１時間待機した後（Ｓ６Ａ）、連動入力がなされているかどうかを判断する（Ｓ３）。ここで、１回目の検出でなければ、２回目の検出であるかどうかを判断する（Ｓ７Ａ）。２回目の検出であればＴ２時間待機した後（Ｓ８Ａ）、連動入力がなされているかどうかを判断する（Ｓ３）。また、２回目の検出でなければ、３回目の検出であるかどうかを判断する（Ｓ９Ａ）。３回目の検出であればＴ３時間待機した後（Ｓ１０Ａ）、連動入力がなされているかどうかを判断する（Ｓ３）。さらに、３回目の検出でなければ、４回目の検出であるかどうかを判断する（Ｓ１１Ａ）。４回目の検出であればＴ４時間待機した後（Ｓ１２Ａ）、連動入力がなされているかどうかを判断する（Ｓ３）。そして、４回目の検出でなければ、５回連続して連動入力がなされていない（定常である）ことを検出したとの判別を確定し、連動入力フラグをオフとして（Ｓ１３Ａ）、そのランモードにおける連動入力判別処理を終了し、サブ発振部１１７によるクロック動作に切り替わり、スリープモードに移行する（Ｓ１４）。例えば、このとき、定常であるとの検出を確定しても、点検・音声停止回路１７０におけるスイッチ（図示せず）が押下されるまでは、音声鳴動回路１８０及び火災・異常表示回路１９０による鳴動及び異常表示は停止させないようにする。
【００３７】
一方、Ｓ３において、連動入力がなされていると判断すると、直前（前回）の判別結果が、連動入力有りとの判別を確定したものであるかどうかを判断する（Ｓ４Ｂ）。連動入力有りと判別を確定していれば、そのランモードにおける連動入力判別処理を終了し、スリープモードに移行する（Ｓ１４）。
【００３８】
連動入力有りと判別を確定していなければ、その連動入力検出が１回目の検出であるかどうかを判断する（Ｓ５Ｂ）。１回目の検出であればＴ１時間待機した後（Ｓ６Ｂ）、連動入力がなされているかどうかを判断する（Ｓ３）。ここで、１回目の検出でなければ、２回目の検出であるかどうかを判断する（Ｓ７Ｂ）。２回目の検出であればＴ２時間待機した後（Ｓ８Ｂ）、連動入力がなされているかどうかを判断する（Ｓ３）。また、２回目の検出でなければ、３回目の検出であるかどうかを判断する（Ｓ９Ｂ）。３回目の検出であればＴ３時間待機した後（Ｓ１０Ｂ）、連動入力がなされているかどうかを判断する（Ｓ３）。さらに、３回目の検出でなければ、４回目の検出であるかどうかを判断する（Ｓ１１Ｂ）。４回目の検出であればＴ４時間待機した後（Ｓ１２Ｂ）、連動入力がなされているかどうかを判断する（Ｓ３）。そして、４回目の検出でなければ、５回連続して連動入力がなさたことになるため、連動入力がなされたことを検出したとの判別を確定し、連動入力フラグをオンとして（Ｓ１３Ｂ）、そのランモードにおける連動入力判別処理を終了し、サブ発振部１１７によるクロック動作に切り替わり、スリープモードに移行する（Ｓ１４）。例えば、このとき制御回路１１０は、連動入力判別処理とは別の処理において、音声鳴動回路１８０及び火災・異常表示回路１９０に信号を送信し、鳴動及び異常表示を行わせる。
【００３９】
以上のように実施の形態１の警報器によれば、制御回路１１０と連動回路２００との連動入力判別手段により、両回路間の端子における印加電圧に基づいて制御回路１１０が連動入力がなされているか又はなされていない状態を複数回（５回）連続して検出したときに、連動入力がなされた又はなされていないことを検出したとの判別を確定するようにしたので、１度の連動検出で判別の確定をしないようにし、例えば、連動配線２２０にノイズが重畳しても誤検出を発生させることなく、より確実に連動入力（他の機器からの信号伝達）を判別することができる。また、連動入力がなされている又はなされていない状態が連続して５回続かなければ、Ｓ４Ａ（又はＳ４Ｂ）の判断により、スリープモードに移行するので、判別までの時間を長引かせることなく、電力の消費を防ぎ、電池１００の寿命を長くすることができる。
【００４０】
さらに、検出するタイミング（検出間隔）を異ならせるようにしたので、周期性を有するノイズの周期と検出間隔（周期）とが同期しないようにし、連動入力の有無を判断することができる。そして、本実施の形態の警報器では、連動入力の有無が逆転すると連動入力判断処理を終了するが、このとき、最初の検出と次の検出との時間を長くし、徐々に短くするようにしたので、長い周期性を有するノイズにおける同じ波形（１つのハイ側波形又はロー側波形）での検出回数も少なくすることができ、連動入力判別処理の時間を短くすることができる。
【００４１】
実施の形態２．
上述の実施の形態における警報器の電源を電池１００としたが、電池に限らず、他の電源で構成するようにしてもよい。また、ここでは、ランモード時に制御回路１１０が連動入力判別処理を行っているが、例えば、モードの変更を行わない警報器においても適用することができる。また、連動入力が有りと判断したときから連続して検出を行って判別するようにしてもよい。さらに、上述の実施の形態では、火災警報について説明したが、例えば本発明をガス漏れ、侵入等を含め、他の用途の警報器にも適用することができる。
【図面の簡単な説明】
【００４２】
【図１】本発明の実施の形態に係る警報器の構成を表すブロック図である。
【図２】制御回路１１０の構成を示すブロック部である。
【図３】連動回路２００を中心とする回路構成を表す図である。
【図４】制御回路１１０の連動入力判別処理に関するタイミングチャートを示す図である。
【図５】制御回路１１０による連動入力判別処理を示すフローチャートを表す図である。
【符号の説明】
【００４３】
１００  電池
１１０  制御回路
１１１  演算部
１１２  ＲＡＭ
１１３  ＲＯＭ
１１４  タイマ部
１１５  Ａ／Ｄ変換部
１１６  メイン発振部
１１７  サブ発振部
１１８  インターフェース部
１２０  定電圧回路
１３０  昇圧・発光回路
１４０  受光増幅回路
１５０  電池電圧検出回路
１６０  電源電圧異常監視回路
１７０  点検・音声停止回路
１８０  音声鳴動回路
１９０  火災・異常表示回路
２００  連動回路
２０５  端子配線
２１０  連動端子
２２０  連動配線
Ｑ２０、Ｑ２１  トランジスタ
Ｒ８２、Ｒ８３  抵抗
Ｄ６  ダイオード
【図１】
2007265182.tif 000003
【図２】
2007265182.tif 000004
【図３】
2007265182.tif 000005
【図４】
2007265182.tif 000006
【図５】
2007265182.tif 000007